(57)【要約】【課題】ＬＥＤ実装基板を取付けたボードを天井部に複数並列配置して構成する照明装置であって、取付作業や配線作業を短時間で容易に行える照明装置を提供する。【解決手段】照明装置はＬＥＤ３を実装した基板１と、基板１を取付けるボード１４と、両端部にコネクタ１７ｂ，１７ｃを有するコネクタ付き電線１７とを備え、基板１は一対の入力端子４ａ，４ｂとこれらに電気的に接続した一対の送り端子５ａ，５ｂとが裏面から突出し、ボード１４は基板１の入力端子と送り端子が挿通可能な複数の端子孔を有し、基板１の端子がボード１４の端子孔を挿通してボード１４裏面から突出した状態で基板１をボード１４に取付け、基板１を取付けたボード１４を天井部に複数並列配置し、最前段の基板１の入力端子を直流電源１５に接続し、隣り合う基板１の送り端子と入力端子を最前段の基板１から最後段の基板１まで順次、コネクタ付き電線１７で接続する。【選択図】図２
2013062067.tif 000002
【特許請求の範囲】
【請求項１】
ＬＥＤを実装した基板と、前記基板を取り付けるボードと、両端部にコネクタを有しているコネクタ付き電線とを備え、前記基板は一対の入力端子とこれらの端子にそれぞれ電気的に接続された一対の送り端子とが裏面から突出し、前記ボードは前記基板の一対の入力端子と一対の送り端子がそれぞれ挿通可能な複数の端子孔を有し、前記基板の端子が前記ボードの端子孔を挿通してボード裏面から突出した状態で前記基板が前記ボードに取り付けられ、この基板を取り付けたボードが天井部に複数並列配置され、最前段の基板の一対の入力端子が直流電源に接続され、隣り合う基板の送り端子と入力端子が最前段の基板から最後段の基板まで前記コネクタ付き電線で電気的に順次接続されてなることを特徴とする照明装置。
【請求項２】
前記ＬＥＤ実装基板に放熱板が取り付けられていることを特徴とする請求項１記載の照明装置。
【請求項３】
前記放熱板を取り付けたＬＥＤ実装基板が一面開放の箱形照明カバー内に固定されていることを特徴とする請求項２記載の照明装置。
【発明の詳細な説明】
【技術分野】
【０００１】
本発明は、ＬＥＤ（発光ダイオード）実装基板を取り付けたボードを天井部に複数並列配置して構成される照明装置に関する。
【背景技術】
【０００２】
照明用の光源としてＬＥＤを用いたＬＥＤ照明装置は消費電力が少ないため、現在普及しつつある。このＬＥＤ照明装置として、半導体光源が並設された器具本体と、半導体光源に電源を供給する複数の電源端子と、器具本体から導出された電源端子が建物に設置した板体に配設された固定電源端子に電気的に接続される照明器具が知られている（特許文献１参照）。この照明器具は天井板に取り付ける際の取付作業及び配線作業を短時間で容易に行なえる。
【先行技術文献】
【特許文献】
【０００３】
【特許文献１】特許第３８８２２９８号公報
【発明の概要】
【発明が解決しようとする課題】
【０００４】
しかしながら、特許文献１には、上記照明器具を複数、天井部に並設する構成、さらにはその配線構造は示されていない。
【０００５】
本発明の目的は、ＬＥＤ実装基板を取り付けたボードを天井部に複数並列配置して構成する照明装置であって、取付作業や配線作業を短時間で容易に行なうことができる照明装置を提供することである。
【課題を解決するための手段】
【０００６】
本発明の照明装置は、ＬＥＤを実装した基板と、前記基板を取り付けるボードと、両端部にコネクタを有しているコネクタ付き電線とを備え、前記基板は一対の入力端子とこれらの端子にそれぞれ電気的に接続された一対の送り端子とが裏面から突出し、前記ボードは前記基板の一対の入力端子と一対の送り端子がそれぞれ挿通可能な複数の端子孔を有し、前記基板の端子が前記ボードの端子孔を挿通してボード裏面から突出した状態で前記基板が前記ボードに取り付けられ、この基板を取り付けたボードが天井部に複数並列配置され、最前段の基板の一対の入力端子が直流電源に接続され、隣り合う基板の送り端子と入力端子が最前段の基板から最後段の基板まで前記コネクタ付き電線で電気的に順次接続されてなることを特徴とする。
【発明の効果】
【０００７】
本発明の照明装置によれば、ＬＥＤ実装基板を取り付けたボードを天井部に複数並列配置した後、最前段の基板の一対の入力端子を直流電源に接続し、隣り合う基板の送り端子と入力端子を最前段の基板から最後段の基板までコネクタ付き電線で順次接続すれば、照明装置を完成できるので、取付作業や配線作業を短時間で容易に行なうことができる。
【図面の簡単な説明】
【０００８】
【図１】本発明の一実施形態である照明装置を下から見た下面図である。
【図２】同照明装置を天井裏から見た平面図である。
【図３】ＬＥＤ実装基板組立体の平面図である。
【図４】図３のＡ−Ａ線断面図である。
【図５】ＬＥＤ実装基板の下面図である。
【図６】コネクタ付き電線を示す正面図である。
【発明を実施するための形態】
【０００９】
以下、本発明の一実施形態を図面を参照しながら説明する。
【００１０】
図３及び図４において、１はＬＥＤ実装基板で、基板２の一面に複数のＬＥＤ３（図５参照）が実装され、複数のＬＥＤ３は図示外の配線パターンによって接続されている。４ａ，４ｂはＬＥＤ３の正極側及び負極側の一対の入力端子で、基板２の裏面（ＬＥＤ３と反対側の面）から垂直に突出している。５ａ，５ｂは正極側及び負極側の一対の送り端子で、基板２の裏面から垂直に突出している。正極側及び負極側の入力端子４ａ，４ｂと送り端子５ａ，５ｂはそれぞれ電気的に接続されている。
【００１１】
６はアルミニウム合金製の放熱板でＬＥＤ実装基板１の裏面に配置されている。放熱板６には中央部付近の前後左右に４箇所、Ｕ字形に切り込みを入れられた部分が下側に垂直に折り曲げられて取付片７が形成されている。放熱板６はＬＥＤ実装基板１の裏面に配置された際、取付片７が基板２に形成されている取付孔に挿入され、基板２からの突出部分を折り曲げられて基板２に固定される。また、放熱板６には一対の端子挿通孔８，９が形成されており、ＬＥＤ実装基板１の一対の入力端子４ａ，４ｂと一対の送り端子５ａ，５ｂはそれぞれ端子挿通孔８，９を挿通して放熱板６から突出する。放熱板６の中央部の上面にはＬ字板からなる取付片１０が固定されている。取付片１０は中央の垂直な切り込みによって上半部が一対の分割片とされている。
【００１２】
放熱板６を固定したＬＥＤ実装基板１は照明カバー１１に装着される。照明カバー１１は一面開放の樹脂製の箱型カバーで、開口縁の四辺の中央から樹脂片１２が突出している。放熱板６を固定したＬＥＤ実装基板１はＬＥＤ実装基板１が照明カバー１１の底部側に配置するようにして照明カバー１１内に固定される。すなわち、放熱板６を固定したＬＥＤ実装基板１が照明カバー１０内に押込まれると、照明カバー１１の樹脂片１２が一旦、押し下げられ、ＬＥＤ実装基板１が照明カバー１１内に完全に入り込むと、樹脂片１２は元の位置に復帰して放熱板６を固定したＬＥＤ実装基板１を押さえて固定する。以下、放熱板６を固定したＬＥＤ実装基板１を照明カバー１１内に装着したものをＬＥＤ実装基板組立体１３という。
【００１３】
図１及び図２に示されているように、２個のＬＥＤ実装基板組立体１３が一枚のボード１４に取り付けられる。ボード１４にはＬＥＤ実装基板１の一対の入力端子４ａ，４ｂと一対の送り端子５ａ，５ｂが挿通可能な端子孔、及び放熱板６の取付片１０が挿通可能な取付孔がそれぞれ形成されている。したがって、ＬＥＤ実装基板１の一対の入力端子４ａ，４ｂと一対の送り端子５ａ，５ｂがボード１４の端子孔を挿通し、放熱板６の取付片１０がボード１４の取付孔を挿通して、ボード１４裏面から突出した状態で、ＬＥＤ実装基板組立体１３がボード１４に装着される。放熱板６の取付片１０はボード１４からの突出部分を折り曲げてボード１４に固定される。
【００１４】
図１及び図２に示されているように、２個のＬＥＤ実装基板組立体１３を取り付けたボード１４が、複数（本実施形態では１２枚）、天井部に並列配置され、天井部の支持フレーム（図示せず）に支持され固定される。
【００１５】
図２に示されているように、最前段のＬＥＤ実装基板１の正極側の入力端子４ａと負極側の入力端子４ｂが直流電源１５にコネクタ付き電線１６を使用して電気的に接続される。コネクタ付き電線１６は電線の一端に直流電源１５に接続できるコネクタと、他端に入力端子４ａ，４ｂに接続できるコネクタとを有している。
【００１６】
図２に示されているように、複数のＬＥＤ実装基板１は直流電源１５に対して並列接続される。すなわち、互いに隣り合うＬＥＤ実装基板１において、一方の基板１の送り端子５ａ，５ｂと、隣りの基板１の入力端子４ａ，４ｂが、最前段のＬＥＤ実装基板１から最後段のＬＥＤ実装基板１まで順次、コネクタ付き電線１７を使用して電気的に接続される。コネクタ付き電線１７は図６に示されているように、電線１７ａの両端部に入力端子４ａ，４ｂと送り端子５ａ，５ｂとに挿入嵌合できるコネクタ１７ｂ，１７ｃを有し、送り端子５ａ，５ｂと入力端子４ａ，４ｂとを電気的に接続できる。
【００１７】
本実施形態では、１個の直流電源１５と１２個のＬＥＤ実装基板１の組合せが天井部に２組設けられている。
【００１８】
したがって、直流電源１５から出力された直流電圧が各ＬＥＤ実装基板１の一対の入力端子４ａ，４ｂ間に印加されると、ＬＥＤ３が点灯し、照明される。
【００１９】
上記実施形態では、一枚のボード１４にＬＥＤ実装基板１を２個取り付けたが、これに限ることはなく、一枚のボード１４にＬＥＤ実装基板１を１個取り付けたものでもよく、あるいは３個以上でもよいことは勿論である。
【符号の説明】
【００２０】
１・・ＬＥＤ実装基板、２・・基板、３・・ＬＥＤ、４ａ，４ｂ・・入力端子、５ａ，５ｂ・・送り端子、６・・放熱板、７・・取付片、８，９・・端子挿通孔、１０・・取付片、１１・・照明カバー、１２・・樹脂片、１３・・ＬＥＤ実装基板組立体、１４・・ボード、１５・・直流電源、１６・・コネクタ付き電線、１７・・コネクタ付き電線、１７ａ・・電線、１７ｂ，１７ｃ・・コネクタ。
【図１】
2013062067.tif 000003
【図２】
2013062067.tif 000004
【図３】
2013062067.tif 000005
【図４】
2013062067.tif 000006
【図５】
2013062067.tif 000007
【図６】
2013062067.tif 000008